(57)【要約】【課題】  携帯性に優れ、座った際に座高が周囲よりも高くなることがなく、胡坐をかいて座っても両膝が左右に広がることがなく、多少後方に体重をかけても倒れることがなく、座り心地に優れる座り具を提供する。【解決手段】  座り具１は、主に本体部３とリング５等から構成される。本体部３の一方の端部には結合部材であるリング５が設けられる。本体部３は、例えば布製であり、使用者を包みこむとともに、リング５と結合される部位である。本体部３は、リング５が設けられる側の端部近傍である結合部７ａと、リング５が設けられる側とは反対側の端部近傍である結合部７ｂと、結合部７ａ、７ｂの間に位置する身体覆い部９に分けられる。【選択図】図１
0003154173.tif 000002
【実用新案登録請求の範囲】
【請求項１】
座る際に使用され、携帯可能な座り具であって、
使用者の体の一部を覆うことが可能な本体部と、
前記本体部の一方の側の端部に設けられた結合部と、
を具備し、
前記本体部の他方の側の端部と前記結合部とを結合し、座った状態の使用者の背中、臀部および膝の一部を前記本体部で覆うことが可能であることを特徴とする座り具。
【請求項２】
前記本体部の裏面側の中央の一方の側の側部近傍に第１のポケットが形成され、前記第１のポケットにはクッションが挿入可能であり、前記第１のポケットは、使用者が前記本体部で覆われて座った状態で、使用者の臀部近傍に位置することを特徴とする請求項１記載の座り具。
【請求項３】
前記本体部の中央部近傍には防寒用部材収納部が設けられ、前記防寒用部材収納部は、使用者が前記本体部で覆われて座った状態で、使用者の背中近傍に位置することを特徴とする請求項１または請求項２に記載の座り具。
【請求項４】
前記本体部は、一方の端部の前記結合部側から他方の端部側に向かって、前記本体部の一部が折り畳まれたプリーツ構造を有し、前記本体部の表面側の端部近傍の前記プリーツ構造部以外の部位には第２のポケットが設けられ、前記プリーツ構造により、前記本体部は前記プリーツ構造に略垂直に伸縮可能であり、使用者が前記本体部で覆われて座った状態で、前記本体部が伸び、使用者の背中から脚部まで覆うことが可能であり、前記第２のポケットが使用者の腕部近傍に位置することを特徴とする請求項１から請求項３のいずれかに記載の座り具。
【請求項５】
前記結合部はリング部材であり、前記リング部材が設けられる側とは他方側の前記本体部の端部近傍の幅が狭くなるように形成された幅狭部が設けられ、前記他方側の端部を前記リング部材に挿入して結合することが可能であることを特徴とする請求項１から請求項４のいずれか記載の座り具。
【考案の詳細な説明】
【技術分野】
【０００１】
本考案は、携帯が可能であり、屋外において楽に座ることが可能な座り具に関するものである。
【背景技術】
【０００２】
従来、屋外で地面等に座る際には、直接座るか、もしくは座るための道具が用いられる。座るために用いられる道具としては、例えば座布団のようにおしりの下に敷くものや、椅子のように座る場所に設置して使用するものがある。
【０００３】
このような携帯が可能で、特に屋外で座る際に使用される道具としては各種開発がなされており、例えば、アール形状の複数の部品を組み立てることで構成される携帯可能な椅子がある（特許文献１）。
【０００４】
また、折り畳まれた複数の方形の板体を、所定の方法で組み立てることで構成される携帯用椅子がある（特許文献２）。
【０００５】
また、底部と蓋部と位置決め枠体とを有し、位置決め枠体に使い捨てカイロを収納でき、底部の使い捨てカイロ収納部にアルミ箔を貼りつけ、蓋体には放熱用の小孔を設けた携帯用暖房座布団がある（特許文献３）。
【先行技術文献】
【特許文献】
【０００６】
【特許文献１】特開２００２−３６０３７０号公報
【特許文献２】特開平１０−２１１０４７号公報
【特許文献３】特開平１０−１５５５９９号公報
【考案の開示】
【考案が解決しようとする課題】
【０００７】
しかし、特許文献１、特許文献２に記載されるような椅子は、座るためにはある程度の強度が必要となることから、それらの部材の携帯性が悪く、また、周囲に座る人が地面に座る場合には、椅子に座ると座高が高くなるため、使用できない場所が生じるという問題がある。
【０００８】
また、特許文献３に記載されるような携帯用座布団は、地面が硬い場合や冷たい場合にも座ることができるが、胡坐をかくような場合には両膝が両側方に広がってしまうため場所をとり、また、背もたれがないため長時間座っていると疲れてしまうという問題がある。
【０００９】
本考案は、このような問題に鑑みてなされたもので、携帯性に優れ、座った際に座高が周囲よりも高くなることがなく、胡坐をかいて座っても両膝が左右に広がることがなく、多少後方に体重をかけても倒れることがなく、座り心地に優れる座り具を提供することを目的とする。
【課題を解決するための手段】
【００１０】
前述した目的を達成するため、第１の考案は、座る際に使用され、携帯可能な座り具であって、使用者の体の一部を覆うことが可能な本体部と、前記本体部の一方の側の端部に設けられた結合部と、を具備し、前記本体部の他方の側の端部と前記結合部とを結合し、座った状態の使用者の背中、臀部および膝の一部を前記本体部で覆うことが可能であることを特徴とする座り具である。
【００１１】
前記本体部の裏面側の中央の一方の側の側部近傍に第１のポケットが形成され、前記第１のポケットにはクッションが挿入可能であり、前記第１のポケットは、使用者が前記本体部で覆われて座った状態で、使用者の臀部近傍に位置するようにしてもよい。
【００１２】
前記本体部の中央部近傍には防寒用部材収納部が設けられ、前記防寒用部材収納部は、使用者が前記本体部で覆われて座った状態で、使用者の背中近傍に位置するようにしてもよい。
【００１３】
前記本体部は、一方の端部の前記結合部側から他方の端部側に向かって、前記本体部の一部が折り畳まれたプリーツ構造を有し、前記本体部の表面側の端部近傍の前記プリーツ構造部以外の部位には第２のポケットが設けられ、前記プリーツ構造により、前記本体部は前記プリーツ構造に略垂直に伸縮可能であり、使用者が前記本体部で覆われて座った状態で、前記本体部が伸び、使用者の背中から脚部まで覆うことが可能であり、前記第２のポケットが使用者の腕部近傍に位置するようにしてもよい。
【００１４】
前記結合部はリング部材であり、前記リング部材が設けられる側とは他方側の前記本体部の端部近傍の幅が狭くなるように形成された幅狭部が設けられ、前記他方側の端部を前記リング部材に挿入して結合することが可能であってもよい。
【００１５】
本考案によれば、布製等の本体部と結合部等で構成されるため、極めて携帯性に優れる。また、本体部で使用者の背中、臀部および膝の一部を覆い、結合部で本体部端部を結合すれば、本体部で膝が抱え込まれ、胡坐をかいた状態でも、本体部で膝が広がることが抑えられる。
【００１６】
また、使用者が座った状態で、脚部（膝）によって本体部が使用者の前方に引っ張られるため、使用者が後方に体重をかけても、背中が本体部で包まれ、使用者の前後のバランスが保たれる。このため、使用者は、後方に体重をかけても倒れることがなく、長時間座っていても疲れることがない。
【００１７】
また、使用者が本体部で覆われて座った状態で、使用者の臀部近傍に位置するように、本体部の裏面側の中央の一方の側の側部近傍に第１のポケットを形成し、第１のポケットにクッション等を挿入すれば、地面が硬い場所や冷たい場所であっても、座り心地に優れる。
【００１８】
また、使用者が本体部で覆われて座った状態で、使用者の背中近傍に位置するように、本体部の中央部近傍に防寒用部材収納部を設け、防寒部材を収納すれば、使用者が座っている間に背中が冷えることがなく、寒い場所でも快適に座ることができる。
【００１９】
また、使用者が本体部で覆われて座った状態で、使用者の腕部近傍に位置するように第２のポケットを設け、さらに本体部全体をプリーチ構造とすることで、使用時に本体部が広がり、使用者を確実に包みこむことができるとともに、携帯時にはコンパクトとなる。また、第２のポケットは、使用時に小物などを入れておくこともできる。
【００２０】
また、結合部がリング部材であり、リング部材が設けられる側とは他方側の本体部の端部近傍に幅が狭い幅狭部を設けておくことで、他方側の端部（幅狭部）をリング部材に挿入することが容易となる。したがって、座る際の結合動作が容易となる。
【考案の効果】
【００２１】
本考案によれば、携帯性に優れ、座った際に座高が周囲よりも高くなることがなく、胡坐をかいて座っても両膝が左右に広がることがなく、多少後方に体重をかけても倒れることがなく、座り心地に優れる座り具を提供することができる。
【図面の簡単な説明】
【００２２】
【図１】座り具１を示す概略図。
【図２】座り具１を用いて使用者が座る手順を示す図。
【図３】座り具１を用いて使用者が座った状態を示す図で、（ａ）は正面図、（ｂ）は側面図。
【図４】座り具２０を示す概略図で、（ａ）は表側より見た図、（ｂ）は裏側より見た図。
【図５】座り具２０を用いて使用者が座った状態を示す側面図。
【図６】（ａ）は、座り具３０を示す図、（ｂ）は座り具３０を用いて使用者が座った状態を示す側面図。
【図７】座り具４０を示す概略図。
【考案を実施するための形態】
【００２３】
以下、本考案の実施の形態を詳細に説明する。図１は、本考案の実施の形態にかかる座り具１を示す図である。
【００２４】
座り具１は、主に、本体部３とリング５等から構成される。本体部３の一方の端部には結合部材であるリング５が設けられる。本体部３は、例えば布製であり、使用者を包みこむとともに、リング５と結合される部位である。
【００２５】
本体部３は、リング５が設けられる側の端部近傍である結合部７ａと、リング５が設けられる側とは反対側の端部近傍である結合部７ｂと、結合部７ａ、７ｂの間に位置する身体覆い部９に分けられる。本体部３は、例えば１．５〜２ｍ程度の長さであり、１〜１．５ｍ程度の幅であるが、使用者の大きさによって適宜設定される。なお、身体覆い部９は概ね、本体部３の長手方向（両結合部７ａ、７ｂ方向）中央の約１〜１．５ｍ程度の範囲を指す。
【００２６】
なお、本体部３の形状は図１の例に限られない。例えば、矩形形状であってもよく、略三角形や楕円形状など種々の形状で良い。また、リング５は、一対の環状部材であるが、結合部７ｂと結合して本体部３を筒状に形成できれば、形状や構造は問わない。たとえばシートベルトやズボンのベルトなどのように様々な結合構造が適用できる。なお、一対の結合部材を結合するような結合構造を適用する場合には、一方の結合部材を結合部７ａに設け、他方の結合部材を結合部７ｂ側に設ければよい。
【００２７】
次に、座り具１の使用方法について説明する。図２は、座り具１を用いて使用者が座る手順を示す図である。なお、図２において、使用者１１は身体の一部の外形を示す概略図である。まず、図２（ａ）に示すように、座り具１を横方向にして、座り具１の身体覆い部９の略中央が使用者１１の背中側を覆うように設ける。この際、使用者１１の座る場所にも身体覆い部９の側端部が来るようにし、使用者１１が身体覆い部９の上に座るように配置する。また、使用者１１は軽く胡坐をかく姿勢で座る。なお、使用者１１側が座り具１の裏側となる。
【００２８】
次に、図２（ｂ）に示すように、リング５（結合部７ａ）を使用者１１の前方に回し、他方の結合部７ｂ側を使用者１１の前方に回す。すなわち、使用者１１は本体部３で覆われるようになる。この際、本体部３で使用者１１の両膝部をも覆うようにする。また、使用者１１の背中の上部近傍まで本体部３（身体覆い部９）で覆われるようにする。
【００２９】
次に、結合部７ｂ側の端部を絞り、結合部７ｂ側端部をリング５に通して、結合部７ａと結合部７ｂとを結合する。すなわち、本体部３は筒状となり、使用者１１の背中、臀部、脚部の一部が覆われるようになる。なお、結合部７ｂとリング５との結合は、例えば一対のリング５に結合部７ｂ端部を通し、さらに結合部７ｂ側端部を一対のリング５の間を縫うようにリング間に挿入し、一方のリング５に通せば良い。
【００３０】
図３は、以上により使用者１１が座り具１により座った状態を示す図である。図３（ａ）に示すように、結合部７ａ、７ｂを適切な長さで結合すれば、本体部３は使用者１１の背中から臀部および両膝までが覆われる。なお、図３において、使用者１１は腕を座り具１内（例えば両膝間）に入れてもよく、本体部３から外に出してもよい。本体部３内に腕を入れる場合には、図３（ａ）に示すように、本体部３を使用者１１の肩部まで覆うようにすれば良く、腕を本体部３より外に出す場合には、使用者１１の脇の下までを本体部３で覆うようにすれば良い。
【００３１】
使用者１１の両膝は、本体部３により両側から覆われている。したがって、両ひざが本体部３によって抱え込まれる。このため、使用者１１が胡坐をかいた状態でも、両膝が左右（図中矢印Ａ方向）に広がることがない。このため、使用者１１は、両膝に力を入れなくても、両ひざが広がることを防止することができる。
【００３２】
また、図３（ｂ）に示すように、使用者１１は本体部３（身体覆い部９）で背中から臀部、膝までを覆われる。使用者１１の前方側では、両膝が本体部３（身体覆い部９）覆われている。このため、両膝の重みによって本体部３（身体覆い部９）は前方に引っ張られる。
【００３３】
一方、使用者１１の背中側も、本体部３（身体覆い部９）で抱え込まれる。使用者１１はまっすぐ直立するように自立すれば良いが、その姿勢で長時間座ると非常に疲れる。したがって、使用者１１は背中側によりかかる姿勢が楽である。座り具１によれば、使用者１１が背中側によりかかっても（図中矢印Ｃ方向）、本体部３（身体覆い部９）が前方に引っ張られるため、これとバランスがとれる程度であれば、倒れることがない。すなわち、使用者１１は、座った状態で、背中側に多少よりかかることができる。
【００３４】
以上説明したように、本実施の形態にかかる座り具１によれば、携帯性に優れる座り具を得ることができる。座り具１は、使用者１１を覆う身体被覆部９と結合部７ａ、７ｂとからなり、身体覆い部９で使用者１１の背中から両膝までを抱え込むことができる。このため、両膝が広がることがなく、背中側に倒れることも防止できる。
【００３５】
また、装着等が容易であり、場所もとらないため使用時に周りに迷惑がかかることがない。また、膝や背中が抱え込まれているので、長時間座っても疲れることがない。
【００３６】
次に第２の実施の形態にかかる座り具２０について説明する。図４は座り具２０を示す図であり、図４（ａ）は座り具２０の表側より見た図、図４（ｂ）は座り具２０の裏側より見た図である。なお、以下の実施の形態において、第１の実施の形態にかかる座り具１と同様の機能、効果を奏する構成については、図１と同一の符号を付し、重複する説明を省略する。
【００３７】
座り具２０は、座り具１と略同様の構成であるが、ポケット２１および防寒部材収納部２３が設けられる点で異なる。クッション等収納部であるポケット２１は、本体部３の裏面側に形成される。ポケット２１はちょうど使用者の臀部の大きさに対応し、たとえば数十ｃｍ角程度の大きさである。なお、ポケット２１に代えて、クッション部材を本体３に直接縫いつけておいてもよい。
【００３８】
ポケット２１は、使用時に使用者の臀部に対応する位置に設けられる。すなわち、ポケット２１は本体３（身体覆い部９）の長手方向略中央であって、一方の側部近傍に設けられる。
【００３９】
防寒部材等の収納部である防寒部材収納部２３は、本体部３の裏面側に形成される袋状に部位である。防寒部材収納部２３は、寒さから使用者を防ぐための部材を収納可能である。たとえば、タオル状部材や使い捨てカイロなどを入れることができる。なお、防寒部材収納部２３に代えて、防寒部材を本体部３に直接縫い付けておいてもよい。
【００４０】
防寒部材収納部２３は、使用時に使用者の背中に対応する位置に設けられる。すなわち、防寒部材収納部２３は本体３（身体覆い部９）の長手方向略中央であって、略中央から側部近傍（ポケット２１が設けられる側とは反対側の側部）までの範囲に設けられる。なお、クッション部材収納部であるポケット２１と防寒部材収納部２３とは、一方のみを設けて、それぞれの機能を兼用してもよく、両者を一体で形成してもよい。この場合、収納部が本体部３の長手方向中央に両側部にわたって設けられる。
【００４１】
図５は、座り具２０を用いて使用者１１が座った状態を示す側面図である。前述の通り、ポケット２１は使用者１１の臀部に当たる部位に位置する。ポケット２１にはクッション２５が設けられる。また、防寒部材収納部２３は、使用者１１の背中に当たる部位に位置する。防寒部材収納部２３には、防寒部材２７が収納される。
【００４２】
第２の実施の形態にかかる座り具２０によれば、座り具１と同様の効果を得ることができる。また、クッション２５を収納可能であるため、硬い地面に座る際にも座り心地が良い。また、背中に該当する部位は防寒部材収納部２３が設けられ、防寒部材２７を収納可能であるため、寒い場所であっても快適に座ることができる。
【００４３】
次に、第３の実施の形態にかかる座り具３０について説明する。図６（ａ）は、座り具３０を示す図である。座り具３０は、座り具１と略同様であるが、プリーツ３３が施され、ポケット３１が設けられる点で異なる。
【００４４】
プリーツ３３は、本体部３の長手方向に沿って設けられ、本体部３の幅方向に山谷が繰り返して形成されるように折り畳まれた形状である。ポケット３１は、本体部３の表側に設けられる。ポケット３１は、使用時に使用者の腕部に対応する位置に設けられる。すなわち、ポケット３１は本体３（身体覆い部９）の長手方向略中央から両端側（結合部７ａ、７ｂ側）にずれて設けられる。なお、ポケット３１は、プリーツ３３の山谷のない平坦部に設けられることが望ましい。
【００４５】
図６（ｂ）は、座り具３０を用いて使用者１１が座った状態を示す側面図である。座り具３０は、使用時にはプリーツ３３が広がり、幅方向に伸びる。したがって、通常時にコンパクトであるが、使用時には広がって使用者１１を確実に覆うことができる。また、前述の通り、ポケット３１は使用者１１の腕部に当たる部位に位置する。使用者１１が座った状態で本体部３より腕を出した際に、丁度手が届く位置にポケット３１が設けられる。ポケット３１は、使用者１１が使用する小物等を入れることができる。たとえば、携帯電話などを入れておくことができる。
【００４６】
第３の実施の形態にかかる座り具３０によれば、座り具１と同様の効果を得ることができる。また、プリーツ３３を施すことで、未使用時にはコンパクトにしまうことができ携帯性がさらに向上し、使用時には本体部が幅方向に広がり、使用者１１を確実に覆い抱え込むことができる。
【００４７】
また、小物等を入れるポケット３１を腕部近傍に設けておけば、座った状態であっても、直ちに当該物品を取り出すことができる。
【００４８】
次に、第４の実施の形態にかかる座り具４０について説明する。図７は、座り具４０を示す図である。座り具４０は座り具１と略同様であるが、結合部７ｂの形状が異なる。
【００４９】
結合部７ｂは、端部に幅が狭い部位である幅狭部４１が設けられる。なお、結合部７ｂの形状は図７に示す例に限られない。たとえば、結合部７ｂ先端をとがらせるようにしてもよく、または結合部７ｂを円弧上に形成してもよい。また、結合部７ｂ端部に本体部３よりも幅が狭い帯状の部材を設けてもよい。
【００５０】
第３の実施の形態にかかる座り具４０によれば、座り具１と同様の効果を得ることができる。また、結合部７ｂ端部に幅狭部４１が形成されるため、結合部７ａ側のリング５と結合する際、リング５への結合部７ｂ側端部の挿入性が向上し、より簡単に結合部７ａ、７ｂ同士を結合することができる。
【００５１】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００５２】
１、２０、３０、４０………座り具
３………本体部
５………リング
７ａ、７ｂ………結合部
９………身体被覆部
１１………使用者
２１………ポケット
２３………防寒部材収納部
２５………クッション
２７………防寒部材
３１………ポケット
３３………プリーツ
４１………幅狭部
【図１】
0003154173.tif 000003
【図２】
0003154173.tif 000004
【図３】
0003154173.tif 000005
【図４】
0003154173.tif 000006
【図５】
0003154173.tif 000007
【図６】
0003154173.tif 000008
【図７】
0003154173.tif 000009